(57)【要約】【課題】基板やケーブルの配線を効率化し、コストダウンや配線自由度の向上を実現可能な電子機器を提供する。【解決手段】リモコン操作に応じて発生するリモコン信号Ｓ２やキー操作に応じて発生するキー入力信号Ｓ１に基づく制御を行う制御回路１０を備えるテレビジョン装置１００において、リモコン信号Ｓ２を制御回路１０へ入力するための伝送線Ｔ２とキー入力信号Ｓ１を制御回路１０へ入力するための伝送線Ｔ１とをショートさせる。【選択図】図１
2012119740.tif 000002
【特許請求の範囲】
【請求項１】
リモコン操作に応じて発生するリモコン信号やキー操作に応じて発生するキー入力信号に基づく制御を行う制御回路を備える電子機器において、
前記リモコン信号を前記制御回路へ入力するための伝送線と前記キー入力信号を前記制御回路へ入力するための伝送線とを電気的に接続したことを特徴とする電子機器。
【請求項２】
前記リモコン信号は矩形波の組合せにより操作内容を表すパルス信号であり、前記キー入力信号は操作内容に応じて異なる定電圧となる電圧信号であり、
前記制御回路は、前記リモコン信号の入力端子に入力される信号がパルス信号の場合はリモコン操作に関連付けられた制御を行い、前記リモコン信号の入力端子に入力される信号がパルス信号で無い場合はキー操作に関連付けられた制御を行う請求項１に記載の電子機器。
【請求項３】
前記制御回路は、前記リモコン信号の入力端子に入力される信号が所定のパルスパターンを含む場合はリモコン操作に関連付けられた制御を行い、前記リモコン信号の入力端子に入力される信号が前記所定のパルスパターンを含まない場合はキー操作に関連付けられた制御を行う請求項１または請求項２に記載の電子機器。
【請求項４】
前記リモコン信号は矩形波の組合せにより操作内容を表すパルス信号であり、
前記制御回路は所定の閾値で前記パルス信号の立ち上がりもしくは立ち下がりを検出することによりパルス信号を検出しており、
前記キー入力信号は操作内容に応じて異なる定電圧となる電圧信号であって当該定電圧のバリエーションの全てが前記所定の閾値未満とされ、
前記制御回路は前記リモコン操作と前記キー操作とが同時に行われると前記キー操作に応じた制御を実行する請求項１〜請求項３の何れか１項に記載の電子機器。
【請求項５】
前記リモコン信号は矩形波の組合せにより操作内容を表すパルス信号であり、
前記制御回路は所定の閾値で前記パルス信号の立ち上がりもしくは立ち下がりを検出することによりパルス信号を検出しており、
前記キー入力信号は操作内容に応じて異なる定電圧となる電圧信号であって当該定電圧のバリエーションの全てが前記所定の閾値を超過する値とされ、
前記制御回路は前記リモコン操作と前記キー操作とが同時に行われると前記リモコン操作に応じた制御を実行する請求項１〜請求項３の何れか１項に記載の電子機器。
【請求項６】
前記制御回路が形成された第１基板と、
前記リモコン操作に応じて前記リモコン信号を発生するリモコン受信回路が形成された第２基板と、
前記キー操作に応じて前記キー入力信号を発生するスイッチ回路が形成された第３基板と、
前記キー入力信号を前記第３基板から前記第２基板へ伝送する第１ケーブルと、
前記リモコン信号と前記キー入力信号とを前記第２基板から前記第１基板へ伝送する第２ケーブルと、
を備え、
前記キー入力信号を伝送する伝送線と前記リモコン信号を伝送する伝送線とが短絡されることにより、前記制御回路において前記キー入力信号を入力する入力端子と前記リモコン信号を入力する入力端子との双方に前記リモコン信号と前記キー入力信号とが入力される請求項１〜請求項５の何れか１項に記載の電子機器。
【請求項７】
前記制御回路が形成された第１基板と、
前記リモコン操作に応じて前記リモコン信号を発生するリモコン受信回路が形成された第２基板と、
前記キー操作に応じて前記キー入力信号を発生するスイッチ回路が形成された第３基板と、
前記リモコン信号を前記第２基板から前記第３基板へ伝送する第３ケーブルと、
前記リモコン信号と前記キー入力信号とを前記第３基板から前記第１基板へ伝送する第４ケーブルと、
を備え、
前記キー入力信号を伝送する伝送線と前記リモコン信号を伝送する伝送線とが短絡されており、前記制御回路において前記制御回路において前記キー入力信号を入力する入力端子と前記リモコン信号を入力する入力端子との双方に前記リモコン信号と前記キー入力信号とが入力される請求項１〜請求項５の何れか１項に記載の電子機器。
【請求項８】
前記キー操作に応じて前記キー入力信号を発生するスイッチ回路が形成された第３基板と、前記リモコン操作に応じて前記リモコン信号を発生するリモコン受信回路が形成された第２基板と、前記制御回路が形成された第１基板とを備え、
前記キー入力信号を前記第３基板から前記第２基板へ伝送する第１ケーブルと、
前記リモコン信号と前記キー入力信号を前記第２基板から前記第１基板へ伝送する第２ケーブルと、
を備え、
前記キー入力信号を伝送する伝送線と前記リモコン信号を伝送する伝送線とが短絡されることにより、前記制御回路において前記キー入力信号を入力する入力端子と前記リモコン信号を入力する入力端子との双方に前記リモコン信号と前記キー入力信号とが入力され、
前記リモコン信号は矩形波の組合せにより操作内容を表すパルス信号であり、ひとまとまりのリモコン信号の先頭であることを示す所定のパルスパターンを含んでおり、
前記制御回路は所定の閾値で前記パルス信号の立ち上がりもしくは立ち下がりを検出することによりパルス信号を検出しており、
前記キー入力信号は操作内容に応じて異なる定電圧となる電圧信号であり、当該定電圧のバリエーションの全てが前記所定の閾値未満とされ、
前記制御回路は、所定の閾値で前記パルス信号の立ち上がりもしくは立ち下がりを検出することによりパルス信号の検出が可能であり、前記リモコン信号を入力する入力端子に信号が入力されると、パルス信号の検出を行って前記所定のパルスパターンを含むか否かを判断し、前記所定のパルスパターンを含む場合はリモコン信号が入力されたものと判断して前記リモコン信号を入力する入力端子に入力されたリモコン信号の示すリモコン操作に関連付けられた制御を行い、前記所定のパルスパターンを含まない場合はキー入力信号が入力されたものと判断して前記キー入力信号を入力する入力端子に入力されたキー入力信号の示すキー操作に関連付けられた制御を行い、その結果として前記リモコン操作と前記キー操作とが同時に行われた場合にはキー操作に応じた制御を実行する請求項１に記載の電子機器。
【発明の詳細な説明】
【技術分野】
【０００１】
本発明は、電子機器に関し、特に、リモコン操作に応じて発生するリモコン信号やキー操作に応じて発生するキー入力信号に基づく制御を行う制御回路を備える電子機器に関する。
【背景技術】
【０００２】
従来、リモコンキーに関する技術として、特許文献１〜５が知られている。
【先行技術文献】
【特許文献】
【０００３】
【特許文献１】特開２００１−０１４０７３号公報
【特許文献２】特開２００１−３０８９５０号公報
【特許文献３】特開２００５−２０４２５１号公報
【特許文献４】特開２００６−２７０１５２号公報
【特許文献５】特開２００７−２５１６２８号公報
【発明の概要】
【発明が解決しようとする課題】
【０００４】
ユーザーがリモコンや操作キーを操作すると、リモコン信号やキー入力信号が制御回路に入力される。ここで、操作キーやリモコン受信回路は、各々、配置が最適化されており、例えばテレビジョンでは、操作キーを画面の額縁部分や装置の側面に配置することが多いし、リモコン受信回路を画面の下側や上側の額縁部分に配置することが多い。従って、リモコン受信回路を搭載したリモコン基板と操作キーを搭載した操作基板は、別基板とされることが一般的である。
また、リモコン信号はＲＣ−５フォーマットやＲＣ−６フォーマットに準拠したパルス信号とされるのが一般的であり、キー入力信号は定電圧信号とされるのが一般的である。従って、リモコン信号とキー入力信号は、別々のラインを介して個別に制御部に入力されていた。
【０００５】
本発明は、上記課題に鑑みてなされたもので、基板やケーブルの配線を効率化し、コストダウンや配線自由度の向上を実現可能な電子機器の提供を目的とする。
【課題を解決するための手段】
【０００６】
上記課題を解決するために、本発明にかかる電子機器では、リモコン操作に応じて発生するリモコン信号やキー操作に応じて発生するキー入力信号に基づく制御を行う制御回路を備える電子機器において、前記リモコン信号を前記制御回路へ入力するための伝送線と前記キー入力信号を前記制御回路へ入力するための伝送線とを電気的に接続した構成とされる。
【０００７】
前記構成によれば、前記リモコン信号を伝送する伝送線と前記キー入力信号を伝送する伝送線との少なくとも一部を共通化することが可能となり、ケーブル配線や基板上の配線を減少し、コストダウンや、ケーブル配線や基板配線の自由度向上などが可能となる。むろんケーブル配線にかかるコネクタも、その数を減少したりコネクタのピン数を減少したりして、基板自由度の向上やコストダウンが可能となる。また、前記制御回路が１つの端子に入力された信号について、キー入力信号であるか否かの判断とリモコン信号であるか否かの判断との双方を行うことが可能であれば、制御回路の入力端子数を１つ減らすこともできる。
【０００８】
本発明の選択的な一態様は、前記リモコン信号は矩形波の組合せにより操作内容を表すパルス信号であり、前記キー入力信号は操作内容に応じて異なる定電圧となる電圧信号であり、前記制御回路は、前記制御回路は、前記リモコン信号の入力端子に入力される信号がパルス信号の場合はリモコン操作に関連付けられた制御を行い、前記リモコン信号の入力端子に入力される信号がパルス信号で無い場合はキー操作に関連付けられた制御を行う構成とされる。
【０００９】
上述したように、本発明によればリモコン信号とキー入力信号が同じ入力端子から前記制御回路に入力されるため、両信号を区別しなければならない。ここで、前記リモコン信号は一般に矩形波の組合せで操作内容を表すパルス信号であり、前記キー入力信号は一般に各操作ボタンの操作に応じて異なる電圧値の電圧信号が発生するようになっている。従って、前記キー入力信号の入力端子から入力される信号についてはパルス判定を行えない場合がある。そこで、前記制御回路は、前記リモコン信号の入力端子に入力される信号を判断対象とし、前記リモコン信号の入力端子にパルス信号が入力された場合はリモコン信号が入力されたものと判断し、このリモコン信号の表す操作内容を特定し、当該操作内容に応じた制御を行う。一方、前記リモコン信号の入力端子にパルス信号でない信号が入力された場合はキー入力信号が入力されたものと判断し、このキー入力信号の表す操作内容を特定し、当該操作内容に応じた制御を行う。このように、リモコン信号とキー入力信号を混合して入力されても、前記リモコン信号の入力端子に入力された信号がパルス信号であるか否かを判断することにより適切な制御が可能となる。
【００１０】
本発明の選択的な一態様は、前記制御回路は、前記リモコン信号の入力端子に入力される信号が所定のパルスパターンを含む場合はリモコン操作に関連付けられた制御を行い、前記リモコン信号の入力端子に入力される信号が前記所定のパルスパターンを含まない場合はキー操作に関連付けられた制御を行う構成とされる。
【００１１】
上述したように、本発明によればリモコン信号とキー入力信号が同じ入力端子から前記制御回路に入力されるため、両信号を区別しなければならない。ここで、前記リモコン信号は、一般に、所定のパルスパターンを含む。また上述したように、前記制御回路は、前記キー入力信号の入力端子から入力される信号についてはパルス判定を行えない場合がある。そこで、前記制御回路は、前記リモコン信号の入力端子に入力される信号を判断対象とし、前記リモコン信号の入力端子に所定のパルスパターンを含む信号が入力された場合はリモコン信号が入力されたものと判断し、このリモコン信号の表す操作内容を特定し、当該操作内容に応じた制御を行う。一方、前記リモコン信号の入力端子に所定のパルスパターンを含まない信号が入力された場合はキー入力信号が入力されたものと判断し、このキー入力信号の表す操作内容を特定し、当該操作内容に応じた制御を行う。このように、リモコン信号とキー入力信号を混合して入力されても、所定のパルスパターンを含む信号であるか否かを判断することにより適切な制御が可能となる。
【００１２】
本発明の選択的な一態様は、前記リモコン信号は矩形波の組合せにより操作内容を表すパルス信号であり、前記制御回路は所定の閾値で前記パルス信号の立ち上がりもしくは立ち下がりを検出することによりパルス信号を検出しており、前記キー入力信号は操作内容に応じて異なる定電圧となる電圧信号であって当該定電圧のバリエーションの全てが前記所定の閾値未満とされ、前記制御回路は前記リモコン操作と前記キー操作とが同時に行われると前記キー操作に応じた制御を実行する構成とされる。
【００１３】
上述したように、本発明によればリモコン信号とキー入力信号が同じ入力端子から前記制御回路に入力されるため、前記リモコン操作と前記キー操作とが同時に行われて両信号が同時に入力される可能性がある。そこで、リモコン信号とキー入力信号の仕様が次のようなものである場合には、両信号が同時に入力された場合は、前記キー操作に応じた制御を実行する。
・リモコン信号は矩形波の組合せにより操作内容を表すパルス信号である。
・制御回路は所定の閾値で前記パルス信号の立ち上がりもしくは立ち下がりを検出することによりパルス信号を検出する。
・キー入力信号は操作内容に応じて異なる定電圧となる電圧信号であって当該定電圧のバリエーションの全てが前記所定の閾値未満となっている。
【００１４】
これら３つの条件が揃った場合に、リモコン信号とキー入力信号とが同時に入力されると、前記制御回路に入力される信号は、リモコン信号のパルス信号の振幅がキー入力信号の電圧値の大きさに低下される。そこで、前記所定の閾値をキー入力信号の中で最大の電圧値よりも大きく、リモコン信号のパルス振幅よりも小さく設定する等により、リモコン信号とキー入力信号が同時に前記制御回路の入力端子に入力されている場合に、一律にキー操作に応じた制御を行うようにする。よって、操作感を統一し、ユーザーの混乱を防止できる。
【００１５】
本発明の選択的な一態様は、前記リモコン信号は矩形波の組合せにより操作内容を表すパルス信号であり、前記制御回路は所定の閾値で前記パルス信号の立ち上がりもしくは立ち下がりを検出することによりパルス信号を検出しており、前記キー入力信号は操作内容に応じて異なる定電圧となる電圧信号であって当該定電圧のバリエーションの全てが前記所定の閾値を超過する値とされ、前記制御回路は前記リモコン操作と前記キー操作とが同時に行われると前記リモコン操作に応じた制御を実行する構成とされる。
【００１６】
上述したように、本発明によればリモコン信号とキー入力信号が同じ入力端子から前記制御回路に入力されるため、前記リモコン操作と前記キー操作とが同時に行われて両信号が同時に入力される可能性がある。そこで、リモコン信号とキー入力信号の仕様が次のようなものである場合には、両信号が同時に入力された場合は、前記リモコン操作に応じた制御を実行する。
・リモコン信号は矩形波の組合せにより操作内容を表すパルス信号である。
・制御回路は所定の閾値で前記パルス信号の立ち上がりもしくは立ち下がりを検出することによりパルス信号を検出する。
・キー入力信号は操作内容に応じて異なる定電圧となる電圧信号であって当該定電圧のバリエーションの全てが前記所定の閾値を超過する値となっている。
【００１７】
これら３つの条件が揃った場合に、リモコン信号とキー入力信号とが同時に入力されると、前記制御回路に入力される信号は、リモコン信号のパルス信号の振幅がキー入力信号の電圧値の大きさに増加される。この場合、キー操作とリモコン操作の何れであっても検出可能だが、リモコンを備える電子機器では、キー操作よりもリモコン操作を行うことが多い実状に鑑みると、リモコン操作を優先するメリットがある。そこで、リモコン信号とキー入力信号が同時に前記制御回路の入力端子に入力されている場合に、一律にリモコン操作に応じた制御を行うようにする。よって操作感を統一し、ユーザーの混乱を防止できる。
【００１８】
本発明の選択的な一態様は、前記制御回路が形成された第１基板と、前記リモコン操作に応じて前記リモコン信号を発生するリモコン受信回路が形成された第２基板と、前記キー操作に応じて前記キー入力信号を発生するスイッチ回路が形成された第３基板と、前記キー入力信号を前記第３基板から前記第２基板へ伝送する第１ケーブルと、前記リモコン信号と前記キー入力信号とを前記第２基板から前記第１基板へ伝送する第２ケーブルと、を備え、前記キー入力信号を伝送する伝送線と前記リモコン信号を伝送する伝送線とが短絡されることにより、前記制御回路において前記キー入力信号を入力する入力端子と前記リモコン信号を入力する入力端子との双方に前記リモコン信号と前記キー入力信号とが入力される構成とされる。
【００１９】
当該構成によれば、第１ケーブルや第２ケーブル、並びに第３基板や第２基板や第１基板上に配設される第１ケーブルや第２ケーブルのコネクタ、等において線数やピン数を減少することが可能となり、コストダウン、配線自由度の向上、設計自由度の向上などに寄与する。
【００２０】
むろん、ケーブル配線は上述した形態に限定されるものではなく、次のように構成してもよい。すなわち、前記制御回路が形成された第１基板と、前記リモコン操作に応じて前記リモコン信号を発生するリモコン受信回路が形成された第２基板と、前記キー操作に応じて前記キー入力信号を発生するスイッチ回路が形成された第３基板と、前記リモコン信号を前記第２基板から前記第３基板へ伝送する第３ケーブルと、前記リモコン信号と前記キー入力信号とを前記第３基板から前記第１基板へ伝送する第４ケーブルと、を備え、前記第４ケーブルにおいて前記リモコン信号を伝送する伝送線と前記第４ケーブルにおいて前記リモコン信号を伝送する伝送線とが短絡されており、前記制御回路において前記キー入力信号を入力する入力端子と前記リモコン信号を入力する入力端子との双方に前記リモコン信号と前記キー入力信号とが入力される構成とすることもできる。
【００２１】
当該構成によれば、第３ケーブルや第４ケーブル、並びに第３基板や第２基板や第１基板上に配設される第３ケーブルや第４ケーブルのコネクタ、等において線数やピン数を減少することが可能となり、コストダウン、配線自由度の向上、設計自由度の向上などに寄与する。
【００２２】
本発明の選択的な一態様として、
前記キー操作に応じて前記キー入力信号を発生するスイッチ回路が形成された第３基板と、前記リモコン操作に応じて前記リモコン信号を発生するリモコン受信回路が形成された第２基板と、前記制御回路が形成された第１基板とを備え、
前記キー入力信号を前記第３基板から前記第２基板へ伝送する第１ケーブルと、
前記リモコン信号と前記キー入力信号を前記第２基板から前記第１基板へ伝送する第２ケーブルと、
を備え、
前記キー入力信号を伝送する伝送線と前記リモコン信号を伝送する伝送線とが短絡されることにより、前記制御回路において前記キー入力信号を入力する入力端子と前記リモコン信号を入力する入力端子との双方に前記リモコン信号と前記キー入力信号とが入力され、
前記リモコン信号は矩形波の組合せにより操作内容を表すパルス信号であり、ひとまとまりのリモコン信号の先頭であることを示す所定のパルスパターンを含んでおり、
前記制御回路は所定の閾値で前記パルス信号の立ち上がりもしくは立ち下がりを検出することによりパルス信号を検出しており、
前記キー入力信号は操作内容に応じて異なる定電圧となる電圧信号であり、当該定電圧のバリエーションの全てが前記所定の閾値未満とされ、
前記制御回路は、所定の閾値で前記パルス信号の立ち上がりもしくは立ち下がりを検出することによりパルス信号の検出が可能であり、前記リモコン信号を入力する入力端子に信号が入力されると、パルス信号の検出を行って前記所定のパルスパターンを含むか否かを判断し、前記所定のパルスパターンを含む場合はリモコン信号が入力されたものと判断して前記リモコン信号を入力する入力端子に入力されたリモコン信号の示すリモコン操作に関連付けられた制御を行い、前記所定のパルスパターンを含まない場合はキー入力信号が入力されたものと判断して前記キー入力信号を入力する入力端子に入力されたキー入力信号の示すキー操作に関連付けられた制御を行い、その結果として前記リモコン操作と前記キー操作とが同時に行われた場合にはキー操作に応じた制御を実行する構成とすることもできる。
【発明の効果】
【００２３】
以上説明したように本発明によれば、ケーブル配線や基板上の配線を減少し、コストダウンやケーブル配線や基板配線の自由度を向上し、さらにケーブル配線にかかるコネクタもその数を減少したりコネクタのピン数を減少したりして基板自由度の向上やコストダウンも実現可能な電子機器を提供することができる。
請求項２にかかる発明によれば、リモコン信号とキー入力信号を制御回路の同じ入力端子に同時に入力されても、パルス信号であるか否かを判断することにより、適切な操作内容を行うことができる。
請求項３にかかる発明によれば、リモコン信号とキー入力信号を同時に前記制御回路の同じ入力端子に入力されても、所定のパルスパターンを含む信号であるか否かに基づいて適切な制御を実行可能となる。
請求項４，５にかかる発明によれば、リモコン信号とキー入力信号を同時に前記制御回路の入力端子に入力されている場合に、操作感を統一し、ユーザーの混乱を防止できる。
請求項６，７にかかる発明によれば、第１ケーブルや第２ケーブル、並びに第３基板や第２基板や第１基板上に配設される第１ケーブルや第２ケーブルのコネクタ、等においても、線数やピン数を減少することが可能となり、コストダウン、配線自由度の向上、設計自由度の向上などに寄与する。
請求項８のような、より具体的な構成において、上述した請求項１〜請求項８の各発明と同様の作用を奏することはいうまでもない。
【図面の簡単な説明】
【００２４】
【図１】テレビジョン装置の回路構成を説明する図である。
【図２】スイッチ回路やリモコン回路の一例を示す回路図である。
【図３】スイッチ回路において、操作されたスイッチに応じて発生する電圧信号の一例を示す表である。
【図４】ＲＣ−５フォーマットのパルス信号の説明図である。
【図５】ＲＣ−６フォーマットのパルス信号の説明図である。
【図６】キー操作時に発生する信号形状を示す図である。
【図７】リモコン操作時に発生する信号形状を示す図である。
【図８】リモコン操作とキー操作を同時に行った場合に発生する信号形状を示す図である。
【図９】メイン基板におけるコネクタから制御回路までの伝送経路を簡略的に示した図である。
【図１０】制御回路に対するキー入力信号やリモコン信号の入力経路を示した図である。
【図１１】制御処理の流れを示すフローチャートである。
【図１２】テレビジョン装置の回路構成の変形例を説明する図である。
【発明を実施するための形態】
【００２５】
以下、下記の順序に従って本発明の実施形態を説明する。
（１）本実施形態の構成：
（２）制御処理：
（３）まとめと変形例：
【００２６】
（１）本実施形態の構成： 
図１は、テレビジョン装置の回路構成を説明する図である。なお、同図に示すテレビジョン装置は本発明の一例であり、本発明は、リモコン受信回路とスイッチ回路とリモコン信号やキー入力信号に基づいて機器の制御を行う制御回路とを備える電子機器や電気機器であれば、いかなる機器であっても適用可能である。
【００２７】
図１に示すように、テレビジョン装置１００は、テレビジョン装置１００の全体を制御する制御回路１０が形成されたメイン基板Ｂ１と、リモコンからリモコン信号を受信するためのリモコン受信回路２０が形成されたリモコン基板Ｂ２と、（複数の）操作キーを備えていて各操作キーの操作に応じたキー入力信号を発生するスイッチ回路３０が形成されたスイッチ基板Ｂ３と、を備えている。なお、本実施形態においては、メイン基板Ｂ１が第１基板を構成し、リモコン基板Ｂ２が第２基板を構成し、スイッチ基板Ｂ３が第３基板を構成する。制御回路１０は、マイコンやＣＰＵやＡＳＩＣ（Application Specific Integrated Circuit）等のＩＣ回路で実現されることが一般的であるが、むろんアナログ回路で実現することも可能である。
【００２８】
なお、テレビジョン装置１００は、その他、テレビ放送を受信するためのチューナー、テレビ放送から抽出された映像信号や外部入力端子から入力された映像信号に各種の映像処理を施す映像処理部、映像処理部から入力される映像信号に基づいて画面に映像を表示する映像表示部、テレビ放送から抽出された音声信号や外部入力端子から入力された音声信号に基づいてスピーカから音声を出力させるための音声処理部、等を備えており、これらは、メイン基板Ｂ１に搭載してもよいし、メイン基板とは別の基板に搭載してもよい。
【００２９】
スイッチ基板Ｂ３のコネクタＣＮ４とリモコン基板Ｂ２のコネクタＣＮ３はケーブルＣ２で接続されており、スイッチ回路３０の出力するキー入力信号Ｓ１はコネクタＣＮ４とケーブルＣ２とコネクタＣＮ３とを介してリモコン基板Ｂ２に伝送される。
リモコン基板のコネクタＣＮ２とメイン基板Ｂ１のコネクタＣＮ１はケーブルＣ１で接続されており、リモコン受信回路２０の出力するリモコン信号Ｓ２はコネクタＣＮ２とケーブルＣ１とコネクタＣＮ１とを介してメイン基板Ｂ１の制御回路１０に入力される。
また、リモコン基板Ｂ２に伝送されたキー入力信号Ｓ１も、コネクタＣＮ２とケーブルＣ１とコネクタＣＮ１とを介してメイン基板Ｂ１の制御回路１０に入力される。
なお、本実施形態において、ケーブルＣ１は第２ケーブルを構成し、ケーブルＣ２は第１ケーブルを構成する。
【００３０】
次に、図２を参照しつつスイッチ回路の具体例について説明する。同図にはスイッチ回路の一例を回路図で示してある。同図に示すように、スイッチ回路３０はユーザーの操作によりオンオフが切り替わるスイッチＳＷ１〜ＳＷ６と、抵抗Ｒ１〜Ｒ７と、コンデンサＣとを備えており、操作されたスイッチに応じた電圧信号（キー入力信号Ｓ１）を発生するようになっている。
【００３１】
図３は、操作されたスイッチに応じて発生する電圧信号の一例を示す表である。同図に示すキー名は図２のスイッチＳＷ１〜ＳＷ６のいずれかに対応するものであり、いずれかのキーが操作されると対応する電圧欄に記載された電圧を発生し、何れのキーも操作されないときは３．３Ｖの電圧信号を発生する。すなわち、スイッチ回路３０は、操作されたキーに応じて（操作内容に応じて）異なる定電圧となるキー入力信号を発生する。
【００３２】
制御回路１０は入力されたキー入力信号Ｓ１の電圧値に応じて、何れのキーが操作されたかを特定する。そのために、制御回路１０は、図３の判定電圧の欄に記載したキー毎の電圧範囲の判定が可能になっており、入力されたキー入力信号Ｓ１がどの電圧範囲に対応するかを判断することができる。これにより、制御回路１０は何れのキー操作がなされたか特定することが出来る。また、制御回路１０は、各キーの操作時に実行すべき制御に関する情報も記憶しており、キー入力信号Ｓ１が入力されると何れのキー操作がなされたか特定し、特定したキーに対応する制御を実行する。
【００３３】
また図２には、リモコン受信回路の一例にかかる回路図も示してある。同図に示すリモコン受信回路２０は受光素子２１を備えており、受光素子２１はリモコンから赤外線信号を受光すると、この受光した赤外線信号に応じたリモコン信号Ｓ２を発生する。リモコン信号Ｓ２は矩形波の組合せによりリモコンに対するユーザーの操作内容（制御回路１０の実行すべき制御内容）を表すパルス信号であり、例えば図４に示すＲＣ−５フォーマットのパルス信号や図５に示すＲＣ−６フォーマットのパルス信号を採用することが一般的的である。
【００３４】
図４，５に示すパルス信号は、スタートビットに所定のパルスパターンを含んでいる。制御回路１０は、所定の閾値を用いてパルス信号の立ち上がりもしくは立ち下がりを検出することによりパルス信号の検出をおこなう。制御回路１０は、検出したパルス信号から、ひとまとまりのパルスパターンを特定する。リモコン信号Ｓ２は、その先頭数ビットがスタートビットと呼ばれる所定のパルスパターンになっており、この所定のパルスパターンがひとまとまりのパルスパターンの始まりを示し、このスタートビットから所定ビット数がひとまとまりのパルスパターンとなる。
【００３５】
制御回路１０は、ひとまとまりのパルスパターンを特定すると、このパルスパターンに対応する制御を実行する。リモコン信号Ｓ２の各パルスパターンにはリモコン信号Ｓ２によって表される操作内容（制御内容）が対応付けられている。制御回路１０は、この対応関係を規定した対応テーブル等を参照することにより、リモコン信号Ｓ２の示す操作内容（制御内容）を特定することができる。そして、制御回路１０は、特定した操作内容（制御内容）に応じた制御を実行する。
【００３６】
以上のように、制御回路１０はキー入力信号Ｓ１やリモコン信号Ｓ２に対応する制御を実行できる。ただし、本実施形態では、図２に示すようにリモコン信号Ｓ２の伝送線Ｔ２とキー入力信号Ｓ１の伝送線Ｔ１とが、リモコン基板Ｂ２上でショート（電気的に接続）されている。２つの伝送線がショートされると、伝送線Ｔ１，Ｔ２は、両方ともリモコン信号Ｓ２とキー入力信号Ｓ１の双方を伝送する。すなわち、ユーザーがリモコン操作を行うと両方の伝送線Ｔ１，Ｔ２にリモコン信号Ｓ２が発生し、ユーザーがキー操作を行うと両方の伝送線Ｔ１，Ｔ２にキー入力信号Ｓ１が発生し、ユーザーがリモコン操作とキー操作の双方を同時に行うと両方の伝送線Ｔ１，Ｔ２にリモコン信号Ｓ２とキー入力信号Ｓ１が重複して発生する。
【００３７】
図６はキー操作時に発生する信号形状を示し、図７はリモコン操作時に発生する信号形状を示し、図８はリモコン操作とキー操作を同時に行った場合に発生する信号形状を示している。なお、図８においては、図６，７と同じキーとリモコンボタンが操作された場合を示してある。
図６に示すように、キー操作が行われると両方の伝送線Ｔ１，Ｔ２に一定の定電圧が発生し、図７に示すように、リモコン操作が行われると両方の伝送線Ｔ１，Ｔ２に同じパルス信号が発生し、図８示すように、キー操作とリモコン操作が同時に行われると両方の伝送線にキー操作の電圧値の振幅になったパルス信号が発生している。
【００３８】
また、メイン基板Ｂ１上でも、図９に示すように、リモコン信号Ｓ２の伝送線Ｔ２とキー入力信号Ｓ１の伝送線Ｔ１とが、リモコン基板Ｂ２上でショート（電気的に接続）されている。図９は、メイン基板Ｂ１におけるコネクタＣＮ１から制御回路１０までの伝送経路を簡略的に示した図である。このようにメイン基板Ｂ１上でもショートすることにより、より確実に、伝送線Ｔ１，Ｔ２は、両方ともリモコン信号Ｓ２とキー入力信号Ｓ１の双方を伝送するようになる。むろん、ショートさせる箇所や数は様々に変更可能である。
【００３９】
また、図１０は制御回路１０に対するキー入力信号Ｓ１やリモコン信号Ｓ２の入力経路を示した図である。同図において、キー入力信号Ｓ１を伝送する伝送線Ｔ１は、制御回路１０の入力端子１０ａに接続され、リモコン信号Ｓ２を伝送する伝送線Ｔ２は、制御回路１０の入力端子１０ｂに接続される。制御回路１０は、入力端子１０ａに入力される信号に基づいてキー操作の有無と種類を判定し、入力端子１０ｂに入力される信号に基づいてリモコン操作の有無と種類を判定する。ただし、本実施形態では、上述したように伝送線Ｔ１，Ｔ２がショートされているため、リモコン操作が行われたときにも入力端子１０ａに信号が入力されるし、キー操作が行われたときにも入力端子１０ｂに信号が入力される。そこで、制御回路１０は、以下に説明する制御処理を実行することにより、リモコンとキーの何れが操作されたかを判断し、制御処理の内容を決定するようになっている。
【００４０】
（２）制御処理： 
図１１は、制御処理の流れを示すフローチャートである。同図に示す制御処理は、テレビジョン装置１００の電源が投入されている間は、周期的に繰り返し制御回路１０によって実行されている。
【００４１】
処理が開始されると、信号入力の有無を判断する（Ｓ１００）。信号入力の有無は入力端子１０ａ，１０ｂの何れの入力を利用してもよいが、本実施形態では、後述するステップＳ１１０の判断対象と一致させる意味で、入力端子１０ｂの入力に基づいて行う。信号入力を検知した場合は（Ｓ１００：Ｙｅｓ）入力された信号がリモコン信号であるか否かをの判断を行い（Ｓ１１０）、信号入力を検知しない場合は（Ｓ１００：Ｎｏ）信号入力の有無の判断を繰り返し実行する。
【００４２】
入力された信号がリモコン信号であるか否かをの判断は、入力端子１０ｂに対する入力に基づいて行われる。この判断は、従来であれば、まずキー操作に基づく信号入力の有無を判断し、次にリモコン操作に基づく信号入力の有無を判断することが一般的であった。しかし、本実施形態では入力端子１０ａ，１０ｂの双方にリモコン信号Ｓ２が入力する。そのため、リモコン信号Ｓ２が入力されていてもキー入力信号Ｓ１の入力と誤判定する可能性がある。キー入力信号Ｓ１にかかる信号の有無の判断は、電圧値の判定であり、パルス状のリモコン信号Ｓ２も電圧値があるからである。
【００４３】
具体的には、入力端子１０ｂに入力された信号の先頭の所定数ビットに、上述したスタートビットに相当する信号が含まれるか否かによって判断を行う。すなわち、入力端子１０ｂに入力される信号がスタートビットを含む場合は（Ｓ１１０：Ｙｅｓ）リモコン操作に関連付けられた制御を行い（Ｓ１２０，Ｓ１４０）、入力端子１０ｂに入力される信号がスタートビットを含まない場合は（Ｓ１１０：Ｎｏ）キー操作に関連付けられた制御を行うことになる（Ｓ１３０，Ｓ１４０）。
【００４４】
さらに具体的には、入力端子１０ｂに入力された信号の先頭にスタートビットに相当するパルス信号を検出するとリモコン操作が行われたものと判断して（Ｓ１１０：Ｙｅｓ）、ひとまとまりのパルスパターンを特定し（Ｓ１２０）、このパルスパターンに対応する制御を実行する（Ｓ１４０）。一方、入力端子１０ｂに入力された信号の先頭にスタートビットに相当するパルス信号を検出しなかった場合はキー操作が行われたものと判断して（Ｓ１１０：Ｎｏ）、電圧値に応じて、何れのキーが操作されたかを特定し（Ｓ１３０）、特定したキーに対応する制御を実行する（Ｓ１４０）。
【００４５】
むろん、キー入力信号Ｓ１が定電圧信号であってリモコン信号Ｓ２がパルス信号であるという根本的な違いを利用して、スタートビットのみならずパルス信号か否かの判断によってリモコン信号Ｓ２か否かを判断することも可能である。
以上のように、本実施形態では、リモコン信号の入力の有無を優先的に判断することにより、伝送線Ｔ１，Ｔ２をショートさせつつもリモコン信号Ｓ２とキー入力信号Ｓ１とのいずれが入力されているか的確に判断することができる。
【００４６】
ただし、図８に示したようにキー操作とリモコン操作が同時に行われた場合に、操作されたキー次第ではリモコン操作によって発生したパルス波の振幅が小さくなりすぎて、制御回路１０においてパルス検出を行う際に用いる所定の閾値よりも振幅が小さくなってしまう可能性があり、同時に行われるリモコン操作とキー操作の組合せ次第で、リモコン操作に応じた制御が行われたりキー操作に応じた制御が行われたりと、制御がまちまちになってしまう可能性がある。
【００４７】
そこで、本実施形態では、スイッチＳＷ１〜ＳＷ６のキー操作によって発生する定電圧（キー入力信号Ｓ１）の全てを、制御回路１０がリモコン信号Ｓ２のパルス検出のための所定の閾値よりも低い電圧としてある。このようにすることで、リモコン操作が何れのキー操作と同時に行われた場合であってもリモコン信号のスタートビットを検出不可能になることから、必ずキー操作に応じた制御が実行されることになる。よって、ユーザーにとっての操作感覚を統一することができる。
【００４８】
むろん、その逆のパターンも可能である。すなわち、スイッチＳＷ１〜ＳＷ６のキー操作によって発生する定電圧（キー入力信号Ｓ１）の全てを制御回路１０がリモコン信号Ｓ２のパルス検出のための所定の閾値よりも高い電圧とする。このようにすることで、リモコン操作が何れのキー操作とともに行われた場合であってもリモコン信号のスタートビットを検出可能であることから、必ずリモコン操作に応じた制御が実行されることになる。よって、ユーザーにとっての操作感覚を統一することができる。
【００４９】
（３）まとめと変形例： 
以上説明した実施形態によれば、リモコン操作に応じて発生するリモコン信号Ｓ２やキー操作に応じて発生するキー入力信号Ｓ１に基づく制御を行う制御回路１０を備えるテレビジョン装置１００において、リモコン信号Ｓ２を制御回路１０へ入力するための伝送線Ｔ２とキー入力信号Ｓ１を制御回路１０へ入力するための伝送線Ｔ１とをショートさせることにより、基板やケーブルの配線を効率化したり、コストダウンや配線自由度を向上したりすることが可能になる。
【００５０】
なお、図１や図２において示した各基板の接続関係は一例であって、図１２のような接続も可能である。すなわち、図１２では、リモコン基板Ｂ２のコネクタＣＮ８とスイッチ基板Ｂ３のコネクタＣＮ７とをケーブルＣ３によって接続してリモコン基板Ｂ２からスイッチ基板Ｂ３へリモコン信号Ｓ２を伝送し、スイッチ基板Ｂ３のコネクタＣＮ６とメイン基板Ｂ１のコネクタＣＮ５とをケーブルＣ４によって接続してスイッチ基板Ｂ３からメイン基板Ｂ１へリモコン信号Ｓ２とキー入力信号Ｓ１とを伝送する。このとき、キー入力信号Ｓ１を伝送する伝送線Ｔ３とリモコン信号Ｓ２を伝送する伝送線Ｔ４とがスイッチ基板Ｂ３もしくはメイン基板Ｂ１上でショートされており（図ではスイッチ基板Ｂ３でのショートを例示）、制御回路１０においてキー入力信号Ｓ１を入力する入力端子とリモコン信号Ｓ２を入力する入力端子との双方にリモコン信号Ｓ２とキー入力信号Ｓ１とが入力されるようになっている。このように構成においても、上述した実施形態と同様の作用効果を奏する。なお、図１２に示す変形例では、ケーブルＣ３が第３ケーブルを構成し、ケーブルＣ４が第４ケーブルを構成する。
【００５１】
また、上述した実施形態では、制御回路１０において、キー入力信号Ｓ１の入力端子とリモコン信号Ｓ２の入力端子とを別々の入力端子としていたが、これらを同じ入力端子としてもよい。このようにすると、リモコン受信回路２０やスイッチ回路３０から制御回路１０までの経路の途中から、キー入力信号Ｓ１とリモコン信号Ｓ２の伝送経路を共通化することができる。よって、制御回路１０において、使用端子数が減少されるし、伝送経路となる配線パターンや伝送ケーブルの伝送線の数も減少することが出来る。
【００５２】
また、上述した実施形態では、各回路が３つの基板にそれぞれ搭載される場合を例にとって説明したが、むろん、これら３つの回路は１つの基板上にまとめて形成されてもよいし、任意の２つを同じ基板上に形成してもよいし、３つ以上の基板に分けて形成されてもよく、基板数や各基板に対する回路の割り振りは適宜に変更可能である。
【００５３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５４】
１０…制御回路、１０ａ…入力端子、１０ｂ…入力端子、２０…リモコン受信回路、２１…受光素子、３０…スイッチ回路、１００…テレビジョン装置、Ｂ１…メイン基板、Ｂ２…リモコン基板、Ｂ３…スイッチ基板、Ｃ…コンデンサ、Ｃ１…ケーブル、Ｃ２…ケーブル、Ｃ３…ケーブル、Ｃ４…ケーブル、ＣＮ１…コネクタ、ＣＮ２…コネクタ、ＣＮ３…コネクタ、ＣＮ４…コネクタ、ＣＮ５…コネクタ、ＣＮ６…コネクタ、ＣＮ７…コネクタ、ＣＮ８…コネクタ、Ｒ１〜Ｒ７…抵抗、ＳＷ１〜ＳＷ６…スイッチ、Ｔ１…伝送線、Ｔ２…伝送線、Ｔ３…伝送線、Ｔ４…伝送線
【図１】
2012119740.tif 000003
【図２】
2012119740.tif 000004
【図３】
2012119740.tif 000005
【図４】
2012119740.tif 000006
【図５】
2012119740.tif 000007
【図６】
2012119740.tif 000008
【図７】
2012119740.tif 000009
【図８】
2012119740.tif 000010
【図９】
2012119740.tif 000011
【図１０】
2012119740.tif 000012
【図１１】
2012119740.tif 000013
【図１２】
2012119740.tif 000014